(57)【要約】【課題】入力交流電力に対する非線形効果が小さい超伝導バンドパスフィルタ回路を実現する。【解決手段】中心周波数ｆ1 と通過帯域幅ｂ1 とを有する超伝導バンドパスフィルタ１３と、中心周波数ｆ2 と通過帯域幅ｂ2 とを有する超伝導バンドパスフィルタ１６とを備える。中心周波数ｆ1 と中心周波数ｆ2 との差の絶対値は、通過帯域幅ｂ1 と通過帯域幅ｂ2 との和の１／２より小さく、かつ通過帯域幅ｂ1 と通過帯域幅ｂ2 とのうちいずれか小さい方の１／２より大きく設定されている。通過帯域幅ｂ1 と通過帯域幅ｂ2 とは、フィルタ１３の通過帯域とフィルタ１６の通過帯域との重なりの帯域幅よりも大きい。【選択図】  図１
2005295428.tif 000002
【特許請求の範囲】
【請求項１】
中心周波数の異なる複数の超伝導バンドパスフィルタを直列に接続したことを特徴とする超伝導バンドパスフィルタ回路。
【請求項２】
請求項１に記載の超伝導バンドパスフィルタ回路において、
第１の中心周波数ｆ1 と第１の通過帯域幅ｂ1 とを有する第１の超伝導バンドパスフィルタと、
第２の中心周波数ｆ2 と第２の通過帯域幅ｂ2 とを有する第２の超伝導バンドパスフィルタとを少なくとも備え、
前記第１の中心周波数ｆ1 と前記第２の中心周波数ｆ2 との差の絶対値は、前記第１の通過帯域幅ｂ1 と前記第２の通過帯域幅ｂ2 との和の１／２より小さく、かつ前記第１の通過帯域幅ｂ1 と前記第２の通過帯域幅ｂ2 とのうちいずれか小さい方の１／２より大きく設定されていることを特徴とする超伝導バンドパスフィルタ回路。
【請求項３】
請求項２に記載の超伝導バンドパスフィルタ回路において、
前記第１の通過帯域幅ｂ1 と前記第２の通過帯域幅ｂ2 とは、前記第１の超伝導バンドパスフィルタの通過帯域と前記第２の超伝導バンドパスフィルタの通過帯域との重なりの帯域幅よりも大きいことを特徴とする超伝導バンドパスフィルタ回路。
【請求項４】
請求項３に記載の超伝導バンドパスフィルタ回路において、
フィルタ回路全体の中心周波数をｆ0 としたとき、この中心周波数ｆ0 と前記第１の中心周波数ｆ1 と前記第２の中心周波数ｆ2 とは、ｆ1＝ｆ0−（ｂ1−ｂ0）／２、ｆ2＝ｆ0＋（ｂ2−ｂ0）／２を満たすことを特徴とする超伝導バンドパスフィルタ回路。
【発明の詳細な説明】
【技術分野】
【０００１】
本発明は、超伝導体を用いた超伝導バンドパスフィルタ回路に関するものである。
【背景技術】
【０００２】
超伝導体を用いた超伝導バンドパスフィルタ回路は、損失が低いことを利点として、実用化が進んでいる（例えば、非特許文献１参照）。ところが、超伝導体は非超伝導金属に比べて複素伝導度の非線形性が著しく大きいため、超伝導部分を通過する交流電力が大きい場合、この超伝導部分での複素伝導度の非線形効果が回路特性の劣化を招く。この非線形効果には、超伝導部分の表面抵抗の増大と、超伝導部分からの高調波と相互変調波との発生が含まれる（例えば、非特許文献２参照）。特に、複素伝導度の非線形性のために発生する相互変調波の強度は、バンドパスフィルタの通過帯域幅を小さくすると、急激に増大する（例えば、非特許文献３、４参照）。このため、通過帯域幅の小さな超伝導バンドパスフィルタ回路は、通過帯域幅の大きな同種回路に比べて、入力可能な交流電力の上限値が著しく小さくなるという問題点があった。
【０００３】
このような超伝導バンドパスフィルタ回路は、図５に示すように、入力端子４１と超伝導バンドパスフィルタ４３と出力端子４５とから構成される。超伝導バンドパスフィルタ４３の入力ポート４２は回路全体の入力端子４１に接続され、フィルタ４３の出力ポート４４は回路全体の出力端子４５に接続されている。超伝導バンドパスフィルタ４３の通過特性は、図６中の特性５１で表される。図６において縦軸はＳパラメータＳ12の大きさ｜Ｓ12｜、横軸は周波数である。図６から分かるように、超伝導バンドパスフィルタ４３では、中心周波数はｆ0 、通過帯域幅はｂ0 であり、ｆ0−（ｂ0／２）からｆ0＋（ｂ0／２）までの間の周波数領域が通過帯域となっている。超伝導バンドパスフィルタ回路全体の通過特性は、図６の特性５１と同じである。
【０００４】
超伝導バンドパスフィルタ回路が非線形性を持つ場合に、２つの異なる周波数ｆa，ｆbの交流電気信号を同時に超伝導バンドパスフィルタ回路に入力したとすると、回路からは周波数ｆa，ｆbの信号と共に、周波数（２ｆa−ｆb），（２ｆb−ｆa）の信号が出力される。周波数ｆa，ｆbの信号を基本信号、周波数（２ｆa−ｆb），（２ｆb−ｆa）の信号を３次相互変調信号と呼ぶ。周波数ｆa，ｆbは、３次相互変調信号を含む全ての信号がフィルタ回路の通過帯域内に入るように選ばれる。
【０００５】
超伝導バンドパスフィルタ回路の非線形性が強いほど、基本信号の強度に対する３次相互変調信号の強度の比が大きくなる。また、超伝導バンドパスフィルタ回路に入力される入力信号の強度が大きいほど、基本信号の強度に対する３次相互変調信号の強度の比が大きくなる。３次相互変調信号の強度と基本信号の強度とが一致する入力信号の強度をＩＰ３とし、超伝導バンドパスフィルタ回路の非線形性を表す指標として用いる。超伝導バンドパスフィルタ回路の非線形性が大きいほど、ＩＰ３が小さくなる。
【０００６】
入力信号の強度をＰin、基本信号の強度をＰFM、３次相互変調信号の強度をＰIM3 とし、入力信号の強度Ｐinに対して３次相互変調信号の強度ＰIM3 が非常に小さいと仮定し、さらにフィルタ回路の通過帯域内での損失を無視すると、近似的に以下の式（１）、式（２）が成り立つ（非特許文献２参照）。
ＰFM＝Ｐin                                                        ・・・（１）
ＰIM3＝（ＩＰ３）-2（Ｐin）3                                      ・・・（２）
【０００７】
超伝導バンドパスフィルタのＩＰ３は、近似的には通過帯域幅の２乗に比例する。したがって、図５の超伝導バンドパスフィルタ４３のＩＰ３をｃ0 とすると、ｃ0 は次式のようになる。
ｃ0＝ｋ0（ｂ0）2                                                  ・・・（３）
ここで、ｋ0 は、フィルタの構造や材質から決まるパラメータである（非特許文献３、４参照）。
【０００８】
図５に示した従来の超伝導バンドパスフィルタ回路のＩＰ３は、超伝導バンドパスフィルタ４３で発生する３次相互変調信号の強度のみで決まるため、フィルタ４３のＩＰ３、すなわちｃ0 に一致する。したがって、フィルタ回路全体のＩＰ３が回路全体の通過帯域幅ｂ0 に依存し、この通過帯域幅ｂ0 の減少と共に回路全体のＩＰ３も減少する。
【０００９】
なお、出願人は、本明細書に記載した先行技術文献情報で特定される先行技術文献以外には、本発明に関連する先行技術文献を出願時までに発見するには至らなかった。
【非特許文献１】Ｂ．Ａ．ウイレムセン（B.A.Willemsen ），「ＨＴＳフィルタサブシステムズフォアワイヤレステレコミュニケーションズ（HTS Filter Subsystems for Wireless Telecommunications ）」，アイイーイーイートランザクションズオンアプライドスーパーコンダクティビティ（IEEE TRANSACTIONS ON APPLIED SUPERCONDUCTIVITY），２００１年３月，第１１巻，第１号，ｐ．６０−６７
【非特許文献２】Ｄ．Ｅ．オーテス（D.E.Oates ），「ノンリニアビヘイビアオブスーパーコンダクティングデバイスズ（NONLINEAR BEHAVIOR OF SUPERCONDUCTING DEVICES ）」，マイクロウエーブスーパーコンダクティビティ（Microwave Superconductivity ），クルワーアカデミックパブリシャーズ（Kluwer Academic Publishers），２００１年，ｐ．１１７−１４８
【非特許文献３】Ｔ．ダーム（T.Dahm）他，「セオリーオブインターモジュレーションインアスーパーコンダクティングマイクロストリップレゾネーター（Theory of Intermodulation In a superconducting microstrip resonator ）」，ジャーナルオブアプライドフィジクス（J.Appl.Phys.），１９９７年２月，ｐ．２００２−２００９
【非特許文献４】Ｇ．−Ｃ．リン（G.-C.Liang）他，「ハイパワーＨＴＳマイクロストリップフィルターズフォアワイヤレスコミュニケーション（High-Power HTS Microstrip Filtrs for Wireless Communication ）」，アイイーイーイートランザクションズオンマイクロウエーブセオリーアンドテクニークス（IEEE TRANSACTIONS ON MICROWAVE THEORY AND TECHNIQUES），１９９５年１２月，第４３巻，第１２号，ｐ．３０２０−３０２９
【発明の開示】
【発明が解決しようとする課題】
【００１０】
以上のように、従来の超伝導バンドパスフィルタ回路では、入力交流電力に対する非線形効果が大きいため、この超伝導バンドパスフィルタ回路の部分で回路特性が劣化するという問題点があった。また、この非線形効果のために、入力可能な交流電力の上限値が小さくなるという問題点があった。
本発明の目的は、入力交流電力に対する非線形効果が小さい超伝導バンドパスフィルタ回路を提供することにある。
【課題を解決するための手段】
【００１１】
本発明の超伝導バンドパスフィルタ回路は、中心周波数の異なる複数の超伝導バンドパスフィルタを直列に接続したものである。
また、本発明の超伝導バンドパスフィルタ回路の１構成例は、第１の中心周波数ｆ1 と第１の通過帯域幅ｂ1 とを有する第１の超伝導バンドパスフィルタと、第２の中心周波数ｆ2 と第２の通過帯域幅ｂ2 とを有する第２の超伝導バンドパスフィルタとを少なくとも備え、前記第１の中心周波数ｆ1 と前記第２の中心周波数ｆ2 との差の絶対値は、前記第１の通過帯域幅ｂ1 と前記第２の通過帯域幅ｂ2 との和の１／２より小さく、かつ前記第１の通過帯域幅ｂ1 と前記第２の通過帯域幅ｂ2 とのうちいずれか小さい方の１／２より大きく設定されていることを特徴とするものである。
また、本発明の超伝導バンドパスフィルタ回路の１構成例において、前記第１の通過帯域幅ｂ1 と前記第２の通過帯域幅ｂ2 とは、前記第１の超伝導バンドパスフィルタの通過帯域と前記第２の超伝導バンドパスフィルタの通過帯域との重なりの帯域幅よりも大きく設定されている。
また、本発明の超伝導バンドパスフィルタ回路の１構成例において、フィルタ回路全体の中心周波数をｆ0 としたとき、この中心周波数ｆ0 と前記第１の中心周波数ｆ1 と前記第２の中心周波数ｆ2 とは、ｆ1＝ｆ0−（ｂ1−ｂ0）／２、ｆ2＝ｆ0＋（ｂ2−ｂ0）／２を満たすものである。
【発明の効果】
【００１２】
本発明によれば、中心周波数の異なる複数の超伝導バンドパスフィルタを直列に接続することにより、入力交流電力に対する非線形効果が小さい超伝導バンドパスフィルタ回路を実現することができ、より大きな交流電力を扱う用途への超伝導バンドパスフィルタ回路の利用を可能にすることができる。これにより、種々の高周波装置の損失の低減が期待できる。一例としては、近年急速に普及が拡大している携帯電話機や無線ＬＡＮなどに代表される種々の無線通信システムの送信部の部品としての利用が可能になることが予想される。
【発明を実施するための最良の形態】
【００１３】
本発明は、所望の通過帯域幅を有する超伝導バンドパスフィルタ回路を、より大きな通過帯域幅と互いに異なる中心周波数とを有する複数の超伝導バンドパスフィルタの直列接続によって構成することを最も主要な特徴とする。このフィルタ回路全体は、より複雑な回路の一部にもなり得る。また、直列に接続するフィルタとフィルタとの間に、アイソレータなどの別の高周波回路を挿入することもできる。本発明は、回路全体の通過帯域幅と同じ通過帯域幅を有する超伝導バンドパスフィルタを用いない点で従来の超伝導バンドパスフィルタ回路と異なる。その結果、従来の超伝導バンドパスフィルタ回路では、入力可能な交流電力の上限値が回路の通過帯域幅と共に減少するのに対して、本発明では入力可能な交流電力の上限値が回路の通過帯域幅に依存しない。したがって、本発明によれば、従来よりも入力可能な交流電力の上限値が大きい超伝導バンドパスフィルタ回路を実現することができる。
【００１４】
以下、本発明の実施の形態について図面を参照して詳細に説明する。図１は本発明の実施の形態となる超伝導バンドパスフィルタ回路の構成を示すブロック図である。本実施の形態の超伝導バンドパスフィルタ回路は、入力端子１１と超伝導バンドパスフィルタ１３，１６と出力端子１８とから構成される。超伝導バンドパスフィルタ１３の入力ポート１２は回路全体の入力端子１１に接続され、フィルタ１３の出力ポート１４は超伝導バンドパスフィルタ１６の入力ポート１５に接続されている。また、フィルタ１６の出力ポート１７は回路全体の出力端子１８に接続されている。
【００１５】
超伝導バンドパスフィルタ１３，１６の通過特性は、図２中のそれぞれ特性２１，２２で表される。図２から分かるように、超伝導バンドパスフィルタ１３では、中心周波数はｆ1 、通過帯域幅はｂ1 であり、ｆ1−（ｂ1／２）からｆ1＋（ｂ1／２）までの間の周波数領域が通過帯域となっている。一方、超伝導バンドパスフィルタ１６では、中心周波数はｆ2 、通過帯域幅はｂ2 であり、ｆ2−（ｂ2／２）からｆ2＋（ｂ2／２）までの間の周波数領域が通過帯域となっている。
【００１６】
ここで、図１の超伝導バンドパスフィルタ回路全体の通過帯域幅をｂ0 とすると、このｂ0 とフィルタ１３，１６の通過帯域幅ｂ1，ｂ2との関係を次式のように設定する。
ｂ1＞ｂ0                                                          ・・・（４）
ｂ2＞ｂ0                                                          ・・・（５）
【００１７】
また、超伝導バンドパスフィルタ回路全体の中心周波数をｆ0 とすると、このｆ0 とフィルタ１３、１６の中心周波数ｆ1，ｆ2とは次式を満たしているものとする。
ｆ1＝ｆ0−（ｂ1−ｂ0）／２                                        ・・・（６）
ｆ2＝ｆ0＋（ｂ2−ｂ0）／２                                        ・・・（７）
【００１８】
超伝導バンドパスフィルタ回路全体の通過特性は、図３中の特性３１で表される。図３から分かるように、フィルタ回路全体では、中心周波数はｆ0 、通過帯域幅はｂ0 であり、ｆ0−（ｂ0／２）からｆ0＋（ｂ0／２）までの間の周波数領域が通過帯域となっている。特性３１は、図６中に特性５１として示した従来のフィルタ回路の通過特性と一致している。
【００１９】
フィルタ１６の入力信号は、図４に示すように、フィルタ１３から出力される基本信号Ａ，Ａ’と３次相互変調信号Ｂである。ここで、図１のフィルタ回路全体において３次相互変調信号の強度と基本信号の強度とが一致する入力信号の強度ＩＰ３をＣ3 とし、フィルタ１３，１６のＩＰ３をそれぞれＣ1，Ｃ2とする。また、フィルタ１３，１６およびフィルタ回路全体の通過帯域での損失を無視できるとする。フィルタ１３で発生する３次相互変調信号Ｂの強度ＰIM3 は、式（２）と同様の次式となる。
ＰIM3＝（Ｃ1）-2（Ｐin）3                                         ・・・（８）
【００２０】
フィルタ１６において、入力された基本信号Ａ，Ａ’からは再び基本信号（以下、基本信号ＡＡ，ＡＡ’と呼ぶ）と３次相互変調信号（以下、３次相互変調信号ＡＢと呼ぶ）とが生成される。また、入力された３次相互変調信号Ｂと基本信号Ａ，Ａ’からは基本信号（以下、基本信号ＢＡと呼ぶ）と３次相互変調信号（以下、３次相互変調信号ＢＢと呼ぶ）とが生成される。３次相互変調信号ＡＢと基本信号ＢＡとの中心周波数は等しい。また、３次相互変調信号ＢＢは、３次相互変調信号Ｂと基本信号Ａ，Ａ’との３次相互変調信号になり、非常に小さくなるので、近似的に無視できる。
【００２１】
このとき、フィルタ１６で発生する３次相互変調信号ＡＢの強度ＰIM3 は、次式で表される。
ＰIM3＝（Ｃ2）-2（Ｐin）3                                         ・・・（９）
図１のフィルタ回路全体で発生する３次相互変調信号の強度ＰIM3 は、３次相互変調信号Ｂと３次相互変調信号ＡＢとの強度の和に等しいことから次式が成立する。
ＰIM3＝｛（Ｃ1）-2＋（Ｃ2）-2｝（Ｐin）3＝（Ｃ3）-2（Ｐin）3    ・・・（１０）
【００２２】
式（１０）より次式が得られる。
１／（Ｃ3）2＝１／（Ｃ1）2＋１／（Ｃ2）2                        ・・・（１１）
さらに、式（１１）より次式が成立する。
Ｃ3＝（Ｃ1Ｃ2）／｛（Ｃ1）2＋（Ｃ2）2｝1/2                      ・・・（１２）
【００２３】
また、フィルタ１３，１６のＩＰ３はそれぞれ通過帯域幅ｂ1，ｂ2に依存し、次式のようになる。
Ｃ1＝ｋ1（ｂ1）2                                                ・・・（１３）
Ｃ2＝ｋ2（ｂ2）2                                                ・・・（１４）
ここで、ｋ1，ｋ2はそれぞれフィルタ１３，１６の構造や材質から決まるパラメータである。式（１２）に式（１３）と式（１４）を代入すると、次式が得られる。
Ｃ3＝ｋ1ｋ2ｂ12ｂ22／｛（ｋ1ｂ12）2＋（ｋ2ｂ22）2｝             ・・・（１５）
【００２４】
式（１５）から、本実施の形態では、フィルタ回路全体のＩＰ３が回路全体の通過帯域幅ｂ0 に依存しないことが分かる。したがって、通過帯域幅ｂ0 が減少しても、フィルタ回路全体のＩＰ３は減少しない。しかも、フィルタ１３，１６の通過帯域幅ｂ1，ｂ2を大きくすることにより、回路全体の通過帯域幅ｂ0 とは無関係に回路全体のＩＰ３を増大させることができる。したがって、本実施の形態により、図５に示した従来の超伝導バンドパスフィルタ回路に比べて大きなＩＰ３、すなわち大きな許容電力上限値を持つ超伝導バンドパスフィルタ回路を実現することができる。
【産業上の利用可能性】
【００２５】
本発明は、例えば携帯電話機や無線ＬＡＮ等の無線通信システムの送信部の部品に適用することができる。
【図面の簡単な説明】
【００２６】
【図１】本発明の実施の形態となる超伝導バンドパスフィルタ回路の構成を示すブロック図である。
【図２】図１の超伝導バンドパスフィルタ回路に含まれる２つの超伝導バンドパスフィルタの通過特性を示す図である。
【図３】図１の超伝導バンドパスフィルタ回路の通過特性を示す図である。
【図４】図１の超伝導バンドパスフィルタ回路の各部の信号を示す図である。
【図５】従来の超伝導バンドパスフィルタ回路の構成を示すブロック図である。
【図６】図５の超伝導バンドパスフィルタ回路に含まれる超伝導バンドパスフィルタの通過特性を示す図である。
【符号の説明】
【００２７】
１１…入力端子、１２、１５…入力ポート、１３、１６…超伝導バンドパスフィルタ、１４、１７…出力ポート、１８…出力端子。
【図１】
2005295428.tif 000003
【図２】
2005295428.tif 000004
【図３】
2005295428.tif 000005
【図４】
2005295428.tif 000006
【図５】
2005295428.tif 000007
【図６】
2005295428.tif 000008